(57)【要約】テレビジョン信号処理装置は、緊急警戒信号を受信し、緊急イベントを個人個人に知らせるための警戒出力を提供することができる。第１の例示としての実施形態に従って、テレビジョン信号処理装置は、緊急イベントを表す緊急警戒信号を含む周波数にチューニングするように動作するチューナ（２２）を含む。処理器（２７）は、テレビジョン信号処理装置が緊急警戒信号に応じてオンモードにオフ／スタンバイモードから切り換えられるようにするように動作する。
2006515122.tif 000002
【特許請求の範囲】
【請求項１】
緊急イベントを表す信号を含む周波数にチューニングするように動作するチューナ：及び
緊急警戒機能を提供するために、テレビジョン信号処理装置が緊急イベントを表す信号に応じて第２モードに第１モードから切り換えられるように動作する処理器；
から構成されることを特徴とするテレビジョン信号処理装置。
【請求項２】
請求項１に記載のテレビジョン信号処理装置であって、第１モードはオフ／スタンバイモードに対応し、第２モードはオンモードに対応し、処理器は、テレビジョン信号処理器がユーザにより選択可能な所定のイベントに対応する緊急イベントに応じてオフ／スタンバイモードからオンモードに切り換えられる、ようする、ことを特徴とするテレビジョン信号処理装置。
【請求項３】
請求項１に記載のテレビジョン信号処理装置であって、第１モードはオフ／スタンバイモードに対応し、第２モードはオンモードに対応し、処理器は、テレビジョン信号処理器がユーザにより選択可能な地理的地域に対応する緊急イベントに応じてオフ／スタンバイモードからオンモードに切り換えられる、ようする、ことを特徴とするテレビジョン信号処理装置。
【請求項４】
請求項１に記載のテレビジョン信号処理装置であって、処理器は、緊急イベントを表す信号に応じて警戒出力を有効にするように更に動作する、ことを特徴とするテレビジョン信号処理装置。
【請求項５】
請求項４に記載のテレビジョン信号処理装置であって、処理器は、ユーザにより選択可能な所定のイベントに対応する緊急イベントに応じて警戒出力を有効にするように更に動作する、ことを特徴とするテレビジョン信号処理装置。
【請求項６】
請求項４に記載のテレビジョン信号処理装置であって、処理器は、ユーザにより選択可能な地理的地域に対応する緊急イベントに応じて警戒出力を有効にするように更に動作する、ことを特徴とするテレビジョン信号処理装置。
【請求項７】
請求項４に記載のテレビジョン信号処理装置であって、処理器は、ユーザ選択に応じて警戒出力を有効にする、ことを特徴とするテレビジョン信号処理装置。
【請求項８】
請求項４に記載のテレビジョン信号処理装置であって、スピーカから更に構成され、警戒出力はスピーカにより生成された音響メッセージから構成される、ことを特徴とするテレビジョン信号処理装置。
【請求項９】
請求項４に記載のテレビジョン信号処理装置であって、表示装置から更に構成され、警戒出力は表示装置により生成された映像メッセージから構成される、ことを特徴とするテレビジョン信号処理装置。
【請求項１０】
請求項４に記載のテレビジョン信号処理装置であって、処理器は、ユーザにより選択可能な第１の所定時間の期間の間に警戒出力を有効にする、ことを特徴とするテレビジョン信号処理装置。
【請求項１１】
請求項１０に記載のテレビジョン信号処理装置であって、第１モードはオフ／スタンバイモードに対応し、第２モードはオンモードに対応し、処理器は、テレビジョン信号処理器が第１所定時間の期間の間に提供される警戒出力に応じてオンモードからオフ／スタンバイモードに切り換えられる、ようする、ことを特徴とするテレビジョン信号処理装置。
【請求項１２】
請求項１１に記載のテレビジョン信号処理装置であって、処理器は、テレビジョン信号処理装置に応じてユーザにより選択可能な第２の所定時間の期間の間の反復緊急イベントに対する緊急警戒機能を無効にする処理器は、オンモードからオフ／スタンバイモードに切り換えられる、ことを特徴とするテレビジョン信号処理装置。
【請求項１３】
緊急警戒機能を有するテレビジョン信号受信器であって：
緊急イベントを表す緊急警戒信号を含む周波数をチューニングするためのチューニング手段；及び
テレビジョン信号受信器が緊急警戒信号に応じてオンモードにオフ／スタンバイモードから切り換えられるようにするための処理手段；
から構成されることを特徴とするテレビジョン信号受信器。
【請求項１４】
請求項１３に記載のテレビジョン信号受信器であって、処理手段は、緊急警戒信号により表される緊急イベントがユーザにより選択可能な所定のイベントに対応するとき、テレビジョン信号受信器がオフ／スタンバイモードからオンモードに切り換えられるようにする、ことを特徴とするテレビジョン信号受信器。
【請求項１５】
請求項１３に記載のテレビジョン信号受信器であって、処理手段は、緊急警戒信号により表される緊急イベントがユーザにより選択可能な地理的地域に対応するとき、テレビジョン信号受信器がオフ／スタンバイモードからオンモードに切り換えられるようにする、ことを特徴とするテレビジョン信号受信器。
【請求項１６】
請求項１３に記載のテレビジョン信号受信器であって、処理手段は、緊急警戒信号に応じて警戒出力を更に有効にする、ことを特徴とするテレビジョン信号受信器。
【請求項１７】
請求項１６に記載のテレビジョン信号受信器であって、処理手段は、緊急警戒信号により表される緊急イベントがユーザにより選択可能な所定のイベントに対応するとき、警戒出力を有効にする、ことを特徴とするテレビジョン信号受信器。
【請求項１８】
請求項１６に記載のテレビジョン信号受信器であって、処理手段は、緊急警戒信号により表される緊急イベントがユーザにより選択可能な地理的地域に対応するとき、警戒出力を有効にする、ことを特徴とするテレビジョン信号受信器。
【請求項１９】
請求項１６に記載のテレビジョン信号受信器であって、処理手段は、ユーザ選択に応じて警戒出力を有効にする、ことを特徴とするテレビジョン信号受信器。
【請求項２０】
請求項１６に記載のテレビジョン信号受信器であって、警戒メッセージとして警戒出力を提供するための音声出力手段から更に構成される、ことを特徴とするテレビジョン信号受信器。
【請求項２１】
請求項１６に記載のテレビジョン信号受信器であって、ビジュアルメッセージとして警戒出力を提供するための表示手段から更に構成される、ことを特徴とするテレビジョン信号受信器。
【請求項２２】
請求項１６に記載のテレビジョン信号受信器であって、処理手段は、ユーザにより選択可能な第１の所定時間の期間の間に警戒出力を有効にする、ことを特徴とするテレビジョン信号受信器。
【請求項２３】
請求項２２に記載のテレビジョン信号受信器であって、処理手段は、テレビジョン信号受信器が第１の所定時間の期間の間に警戒出力が提供された後にオフ／スタンバイモードにオンモードから切り換えられるようにする、ことを特徴とするテレビジョン信号受信器。
【請求項２４】
請求項２３に記載のテレビジョン信号受信器であって、処理手段は、オンモードからオフ／スタンバイモードにテレビジョン信号受信器が切り換えられた後にユーザにより選択可能な第２の所定時間の期間の間に反復緊急イベントに対する緊急警戒機能を無効にする、ことを特徴とするテレビジョン信号受信器。
【請求項２５】
テレビジョン信号処理装置が第１モードにある間に、緊急イベントを表す信号を示す第１周波数をチューニングするための第１チューニング手段；
テレビジョン信号処理装置が第２モードにある間に、緊急イベントを表す信号を示す第２周波数をチューニングするための第２チューニング手段；及び
緊急警戒機能を提供するための緊急イベントを表す信号に応じて警戒出力を有効にするための処理手段；
から構成されることを特徴とするテレビジョン信号処理装置。
【請求項２６】
請求項２５に記載のテレビジョン信号処理装置であって、第１周波数及び第２周波数は同じである、ことを特徴とするテレビジョン信号処理装置。
【請求項２７】
請求項２５に記載のテレビジョン信号処理装置であって、第１周波数及び第２周波数は異なる、ことを特徴とするテレビジョン信号処理装置。
【請求項２８】
請求項２５に記載のテレビジョン信号処理装置であって、処理手段は、ユーザにより選択可能な所定のイベントに対応する緊急イベントに応じて警戒出力を有効にする、ことを特徴とするテレビジョン信号処理装置。
【請求項２９】
請求項２５に記載のテレビジョン信号処理装置であって、処理手段は、ユーザにより選択可能な地理的地域に対応する緊急イベントに応じて警戒出力を有効にする、ことを特徴とするテレビジョン信号処理装置。
【請求項３０】
請求項２５に記載のテレビジョン信号処理装置であって、処理手段は、ユーザにより選択可能な第１の所定時間の期間の間に警戒出力を有効にする、ことを特徴とするテレビジョン信号処理装置。
【請求項３１】
請求項３０に記載のテレビジョン信号処理装置であって、第１モードはオフ／スタンバイモードに対応し、第２モードはオンモードに対応し、処理手段は、第１の所定時間の期間の間に警戒出力が提供された後にテレビジョン信号処理器がオンモードからオフ／スタンバイモードに切り換えられる、ようにする、ことを特徴とするテレビジョン信号処理装置。
【請求項３２】
請求項３１に記載のテレビジョン信号処理装置であって、処理手段は、オンモードからオフ／スタンバイモードに切り換えられるテレビジョン信号処理装置に応じてユーザにより選択可能な第２の所定時間の期間の間に反復緊急イベントに対して緊急警戒機能を無効にする、ことを特徴とするテレビジョン信号処理装置。
【請求項３３】
請求項２５に記載のテレビジョン信号処理装置であって、第１モードはオフ／スタンバイモードに対応し、第２モードはオンモードに対応し、処理手段は、更に、テレビジョン信号処理装置が緊急イベントを表す信号に応じてオンモードにオフ／スタンバイモードから切り換えられるようにする、ことを特徴とするテレビジョン信号処理装置。
【請求項３４】
請求項３３に記載のテレビジョン信号処理装置であって、処理手段は、テレビジョン信号処理装置がユーザにより選択可能な所定イベントに対応する緊急イベントに応じてオンモードにオフ／スタンバイモードから切り換えられるようにする、ことを特徴とするテレビジョン信号処理装置。
【請求項３５】
請求項３３に記載のテレビジョン信号処理装置であって、処理手段は、テレビジョン信号処理装置がユーザにより選択可能な地理的地域に対応する緊急イベントに応じてオンモードにオフ／スタンバイモードから切り換えられるようにする、ことを特徴とするテレビジョン信号処理装置。
【請求項３６】
緊急警戒機能を有するテレビジョン信号処理装置を制御するための方法であって：
緊急イベントを表す信号を示す周波数にチューニングするためにテレビジョン信号処理装置のチューナを用いる段階；及び
緊急イベントを表す信号に応じてオンモードにオフ／スタンバイモードからテレビジョン信号処理装置を切り換える段階；
から構成される、ことを特徴とする方法。
【請求項３７】
請求項３６に記載の方法であって、緊急イベントを表す信号に応じて警戒出力を有効にする段階から更に構成される、ことを特徴とする方法。
【発明の詳細な説明】
【技術分野】
【０００１】
本発明は、一般に、テレビジョン信号処理に関し、より具体的には、特に、緊急イベントを表す信号を受信し、緊急イベントを個人個人に知らせるための警戒出力を提供することができるテレビジョン信号処理システムに関する。
【背景技術】
【０００２】
厳しい天候、自然災害、火事、市民の緊急事態、戦争行為、有害化学物質流出、放射線リーク等のような緊急イベントの状態は、準備をしていない個人個人に対して大打撃を与えることとなる。天候関連の緊急事態の場合、ＮＷＳ（Ｎａｔｉｏｎａｌ  Ｗｅａｔｈｅｒ  Ｓｅｒｖｉｃｅ）及びＮＯＡＡ（Ｎａｔｉｏｎａｌ  Ｏｃｅａｎｏｇｒａｐｈｉｃ  ａｎｄ  Ａｔｍｏｓｐｈｅｒｉｃ  Ａｄｍｉｎｉｓｔｒａｔｉｏｎ）のような専門家が、一般に、一般の人々に対して、予め厳しい気象状態を検知することができる。ドップラレーダ及び気象衛星のような現在の気象検知装置を使用することにより、ＮＷＳ及びＮＯＡＡは、多くの人命を守る、厳しい気象状態についての迅速な警告を発することができる。しかしながら、そのような警告を有効にするために、彼らは意図する受信者と通信する必要がある。
【０００３】
特定の専門無線及びスキャナが、ＮＷＳ及びＮＯＶＶにより提供される緊急警戒信号を受信することができる。しかしながら、そのような装置は、このような用途に対して専用である傾向にあり、もしあるとしても、一般に、このような信号をモニタする以上の機能性を消費者に提供することはない。従って、気象関連緊急事態についての事前警告を受信するためには、消費者は、別途、専用装置を購入する必要があり、そのような装置は、一部の消費者にとってコストが非常に掛かることとなる。
【０００４】
従って、予め問題を回避する緊急警告信号を受信することができる装置に対する要請が存在する。本発明はこれらの及び他の問題に対処する。
【発明の開示】
【課題を解決するための手段】
【０００５】
本発明の特徴に従って、緊急警戒機能を提供するためのテレビジョン信号処理システムを開示する。例示としての実施形態に従って、テレビジョン新のグ処理システムは、緊急イベントを表す信号を示す周波数にチューニングするためのチューニング手段から構成される。処理手段は、テレビジョン信号処理システムが緊急イベントを表す信号に応答する第２モードに第１モードから切り換えられるようにする。
【０００６】
本発明の他の特徴に従って、緊急警戒機能を提供するためのテレビジョン信号処理器は第１チューニング手段及び第２チューニング手段から構成される。例示としての実施形態に従って、テレビジョン信号受信器は、テレビジョン信号処理器が第１モードにあるとき、緊急イベントを表す信号を含む第１周波数を中人グするための第１チューニング手段から構成される。第２チューニング手段は、テレビジョン信号受信器がオンのモードにあるとき、緊急イベントを表す真のグを示す第２周波数をチューニングする。処理手段は、緊急イベントを表す信号に応答する警戒出力を有効にする。
【０００７】
本発明の他の特徴に従って、緊急警戒機能を提供するテレビジョン信号処理器を制御するための方法について開示する。例示としての実施形態に従って、その方法は、緊急イベントを表す信号を含む周波数にチューニングするためにテレビジョン信号処理器のチューナを使用する段階と、緊急イベントを表す信号に応答する第２モードに第１モードからテレビジョン信号受信器を切り換える段階と、から構成される。
【発明を実施するための最良の形態】
【０００８】
ここで、図であって、特に図１を参照するに、本発明を実行するために適切な例示としての環境１００を示している。図１において、環境１００は、信号送信ソース１０と住戸１５（即ち、１、２、３、．．．、Ｎ、ここで、Ｎはいずれの正の整数）から構成される。図１における住戸１５は、例えば、住宅、ビジネス事務所及び／又は特定の地理的領域であって、例えば、特定の大陸、国、地域、州、地域番号、郵便番号、群、自治体、分譲地、及び／又は他の地理的に定義可能な地域内に位置する住戸を表すが、これらに限定されるものではない。例示としての実施形態に従って、各々の住戸１５は、例えば、緊急警戒信号を受信し、緊急イベントを個人個人に知らせる警戒出力を提供することができる、テレビジョン信号受信器２０等の、テレビジョン信号処理器又はシステムを少なくとも１つ備えている。
【０００９】
テレビジョン信号処置システムは、表示装置（セットトップボックス又はＶＣＲのような）を含まないが、表示装置に結合するために適切な信号を生成するテレビジョン受信器又は表示装置（テレビジョンセットのような）を含むテレビジョン信号受信器のような信号処理器又は種々のタイプのシステムから構成されることが可能である。下の詳細な説明の目的のために、本発明の原理を組み込んだシステムの例示としての実施形態については、表示装置を含むテレビジョン受信器の関連で説明することとする。しかしながら、説明する本発明の特徴は又、表示装置を含まないような他のタイプのテレビジョン信号処理システムに提供することが可能である。
【００１０】
例示としての実施形態に従って、信号送信ソース１０は、例えば、緊急警戒信号等の緊急イベントを表す信号を含む信号を送信し、そのような信号は各々のテレビジョン信号受信器２０により受信されることが可能である。緊急警戒信号は、ＮＷＳのような専門家、又は政府関係団体等のような他の専門家から提供されることが可能である。緊急警戒信号に応答して、各々のテレビジョン信号受信器２０は、緊急イベントを個人個人に知らせるために１つ又はそれ以上の警戒出力を提供することにより緊急警戒機能を実行することが可能である。信号送信ソース１０は、例えば、いずれの有線又は無線媒体であって、例えば、地上波、ケーブル、衛星放送、光ファイバ、ＤＳＬ（Ｄｉｇｉｔａｌ  Ｓｕｂｓｃｒｉｂｅｒ  Ｌｉｎｅ）及び／又は他のタイプの放送及び／又はマルチキャスト手段により、信号受信装置２０にそのような緊急警戒信号を送信することが可能であるが、それらに限定されるものではない。
【００１１】
ここで、図２を参照するに、図１の各々のテレビジョン信号受信器２０に関して、更に例示的詳細を提供することとする。特に、図２は、本発明を実行するために適切であるテレビジョン信号受信器２０のブロック図である。図２において、テレビジョン信号受信器２０は、信号受信素子２１、１つ又はそれ以上のチューナ２２、復調器２３、音声増幅器２４、スピーカ２５、復号化器２６、処理器及びメモリ２７、映像処理器２８並びに表示装置２９から構成される。上記の要素の一部は、例えば、集積回路（ＩＣ）を用いて具現化されることが可能である。説明の明確化のために、テレビジョン信号受信器２０の特定の従来の要素については、図２に示していない。
【００１２】
信号受信素子２１は、図１における信号送信ソース１０のような信号ソースから音声及び／又は映像信号を含む信号を受信するように動作する。例示としての実施形態に従って、受信信号、例えば音声信号は、緊急イベントを表す信号であって、例えば、デジタル的に符合化された緊急警戒信号を含むことが可能である。信号受信素子２１は、アンテナ、入力端子等のようないずれの信号受信素子として具現化されることが可能である。
【００１３】
１つ又はそれ以上のチューナ２２は、音声及び／又は映像信号を含む信号をチューニングするように動作する。例示としての実施形態に従って、１つ又はそれ以上のチューナ２２は、少なくとも次のようにデザインされたＮＷＳ周波数、即ち、１６２．４００ＭＨｚ、１６２．４２５ＭＨｚ、１６２．４５０ＭＨｚ、１６２．４７５ＭＨｚ、１６２．５００ＭＨｚ、１６２．５２５ＭＨｚ、１６２．５５０ＭＨｚに音声信号をチューニングすることができる。又、他の周波数にチューニングすることが可能である。上記のように、そのような音声信号は、デジタル的に符合化された緊急警戒信号を含むことが可能である。例示としての実施形態に従って、テレビジョン信号受信器２０は、第１チューナ２２が主ピクチャに対する主チューナとして動作し、第２チューナ２２がピクチャインピクチャ（ＰＩＰ）に対する二次チューナとして動作する、ＰＩＰ機能を含むことが可能である。この例示としての実施形態に従って、テレビジョン信号受信器２０が、１つのモード、例えば、オンモードで動作しているとき、第１チューナ２２は、従来の方式で音声及び／又は映像信号をチューニングし、第２チューナ２２は、ＮＷＳ周波数のような緊急警戒信号を含む周波数にチューニングする（ＰＩＰ機能に対して使用していないとき）。逆に、テレビジョン信号受信器２０が第２モードであって、例えば、オフ／スタンバイモードにあるとき、第１チューナ２２は緊急警戒信号を含む周波数にチューニングする。このように、緊急警戒信号は、テレビジョン信号受信器２０が動作の種々のモード、例えば、動作のオンモード及び動作のオフ／スタンバイモードにあるとき、受信されることが可能である。
【００１４】
復調器２３は、ユー名２２から供給される信号を復調するように動作する。例示としての実施形態に従って、復調器２３は、ＮＷＳ音声メッセージ、警告警戒トーン及び／又は他の音声コンテンツのような音声コンテンツを表す復調音声信号をそれによって生成するために音声信号を復調する。音声増幅器２４は、処理器２７から供給された制御信号に応答して復調器２３からの音声信号出力を増幅するように動作する。スピーカ２５は、音声増幅器２３から供給された増幅音声信号を音響的に出力する。
【００１５】
復号化器２６は、音声及び／又は映像信号を含む信号を復号化するように動作する。例示としての実施形態に従って、復号化器２６は、復調器２３から供給される音声信号を復号化し、それにより、デジタル的に符合化された周波数シフトキー（ＦＳＫ）信号を抽出する。その周波数シフトキー（ＦＳＫ）信号は緊急イベントを表す緊急警戒信号を表す。例示としての実施形態に従って、緊急警戒信号は、緊急イベントに関連する特定領域メッセージ符合化（ＳＡＭＥ）データから構成されるデータを含む。ＳＡＭＥデータは、例えば、緊急イベントにより影響を受ける特定の地理的領域と、地理的イベント（例えば、竜巻、有害化学物質流出、放射線リーク、市民警戒事態等）と、イベント警戒の終了時間のような情報を表すデジタル符合から構成される。ＳＡＭＥデータは、間違った警戒の頻度を減少させ、緊急警戒の特定性を改善するためにＮＷＳ及び他の専門家により用いられる。他のデータ及び情報は又、本発明に従った緊急警戒信号に含まれることが可能である。
【００１６】
処理器及びメモリ２７は、テレビジョン信号受信器２０の種々の処理及びデータ記憶機能を実行するように動作する。例示としての実施形態に従って、処理器２７は、復号化器２６からの緊急警戒信号を受信し、テレビジョン信号受信器２０の緊急警戒機能が緊急警戒信号に含まれるデータに基づいてアクティブにされているかどうかを判定する。この例示としての実施形態に従って、処理器２７は、緊急警戒機能がアクティブであるかどうかを判定するために、メモリ２７に記憶されたユーザセットアップデータと緊急警戒信号におけるデータを比較する。後に説明するように、テレビジョン信号受信器２０の緊急警戒機能に対するセットアッププロセスは、ユーザが、緊急警戒機能をアクティブにする緊急イベント（例えば、竜巻、有害化学物質流出、放射線リーク、市民警戒事態等）のタイプと、適用可能な地理的領域のようなアイテムとを選択することを可能にする。例示としての実施形態に従って、緊急警戒機能がアクティブにされているとき、処理器２７は、テレビジョン信号受信器２０が、第１モードであって、例えば、オフ／スタンバイモードから、第２モードであって、例えば、オンモードに切り換えられるようにし、又、１つ又はそれ以上の警戒出力が、これにより、緊急イベントを個人個人に知らせることを可能にする、１つ又はそれ以上の制御信号を出力する。そのような機能に関する更なる詳細については、下で提供することとする。
【００１７】
映像処理器２８は、映像信号を含む信号を処理するように動作する。例示としての実施形態に従って、そのような映像信号は、緊急イベントに関する詳細を提供する、ＮＷＳテキストメッセージ及び／又は他のメッセージのような埋め込みメッセージを含むことが可能である。映像処理器２８は、クローズドキャプション表示を可能にするクローズドキャプション回路構成を含むことが可能である。表示装置２９は、映像処理器２８から供給される処理信号に対応するビジュアル表示を提供するように動作する。例示としての実施形態に従って、表示装置２９は、緊急イベントに関する詳細を提供する上記のメッセージを含むビジュアル表示を提供することが可能である。
【００１８】
ここで図３を参照するに、本発明の特徴に従って例示としての段階を示すフロー図３００を示している。例証及び例示目的で、図３の段階について、図２のテレビジョン信号受信器を参照して説明することとする。図３の各段階は単に例示であって、いずれの方式で本発明を制限することが意図されたものではない。
【００１９】
段階３０１において、テレビジョン信号受信器２０の緊急警戒機能のためのセットアッププロセスが実行される。例示としての実施形態に従って、ユーザは、表示装置２９により表示されたオンスクリーンメニューに応答して、テレビジョン信号受信器２０（例えば、リモートコントロール装置（図示せず）を用いて）に入力することによりこのセットアッププロセスを実行する。そのようなオンスリーンメニューは、例えば、テレビジョン信号受信器２０の電子プログラムガイド（ＥＰＧ）機能の一部とすることが可能である。例示としての実施形態に従って、ユーザは、段階３０１におけるセットアッププロセスの間に、少なくとも次のようなアイテムを選択することが可能である。
【００２０】
Ａ．有効／無効  −  ユーザは、緊急警戒機能を有効にするか無効にするかを選択することが可能である。
【００２１】
Ｂ．周波数選択  −  ユーザは、緊急警戒信号を受信するようにチューニングするモニタリング周波数を選択することが可能である。例えば、ユーザは、次のＮＷＳ周波数、即ち、１６２．４００ＭＨｚ、１６２．４２５ＭＨｚ、１６２．４５０ＭＨｚ、１６２．４７５ＭＨｚ、１６２．５００ＭＨｚ、１６２．５２５ＭＨｚ、１６２．５５０ＭＨｚの１つのような周波数を選択することが可能である。
【００２２】
Ｃ．イベントタイプ  −  ユーザは、緊急警戒機能をアクティブにする１つ又はそれ以上のタイプの緊急イベントを選択することが可能である。例えば、ユーザは、市民緊急事態、戦争行為及び／又は竜巻警告のようなイベントは緊急警戒機能をアクティブにするが、雷警告のようなイベントがアクティブにしない、等のように指定することが可能である。ユーザは又、ＮＷＳ及び／又は他の警戒機構により提供される従来の警告音声トーンが緊急警戒機能をアクティブにするかどうかを選択することが可能である。本発明に従って、種々の重大度レベルが種々の“イベント”を表すことが可能である。例えば、雷観測は雷警告とは異なるイベントとみなされる。
【００２３】
Ｄ．地理的地域  −  ユーザは、１つ又はそれ以上の地理的対象地域を選択することが可能である。例えば、ユーザは、特定の大陸、国、地域、州、地域番号、郵便番号、群、自治体、分譲地、及び／又は他の地理的に定義可能な地域を選択することが可能である。
【００２４】
Ｅ．警戒出力  −  ユーザは、緊急警戒機能がアクティブであるときに提供されるべき１つ又はそれ以上の警戒出力を選択することが可能である。例えば、ユーザは、音声出力する選択することが可能である。ユーザは又、ＮＷＳテキストメッセージ（例えば、クローズドキャプションメッセージ）を表示すること及び／又は特定のチャネルにテレビジョン信号受信器２０をチューニングすることを選択することが可能である。
【００２５】
Ｆ．警戒出力の持続期間  −  ユーザは、緊急警戒機能がアクティブのときに、１つ又はそれ以上の警戒出力が提供される所定時間の持続期間を選択することが可能である。このような所定時間の持続期間が終了した後、１つ又はそれ以上の警戒出力は停止し（少なくとも、一時的に）、テレビジョン信号受信器２０はオンモードからオフ／スタンバイモードに切り替わる。
【００２６】
Ｇ．反復イベント間の持続期間  −  ユーザは、反復イベントの所定時間の持続期間を選択することが可能である。例えば、テレビジョン信号受信器２０が特定の警戒イベントに対する警戒出力を提供し、オフ／スタンバイモード（上記の項目Ｆで述べた）に切り換えるとき、緊急警戒機能は又、反復イベントに対する所定時間の持続期間が経過した後まで、この同様な警戒イベントに対してアクティブにされない。この中で上記したように、種々の重大度レベルは種々のイベントを表すことが可能である。
【００２７】
又、本発明に従って、段階３０１において、他のメニュー選択が提供される。段階３０１のセットアッププロセスの間のユーザ選択に対応するデータはメモリ２７に記憶される。
【００２８】
段階３０２において、テレビジョン信号受信器２０は、１つのモード、例えば、オンモードから、他のモード、例えば、オフ／スタンバイモードにスイッチングｓａｒｅｒｕ．例示としての実施形態に従って、オンモードは、テレビジョン信号受信器２０がオンに切り換えられた動作モードである一方、オフ／スタンバイモードは、テレビジョン信号受信器２０がオフに切り換えられる（即ち、音声及び／又は映像出力はない）が、いまだに電力を受ける動作モードである。テレビジョン信号受信器２０は、例えば、ユーザ入力に応答して段階３０２におけるオフ／スタンバイモードに切り換えられることが可能である。
【００２９】
段階３０３において、テレビジョン信号受信器２０は、段階３０１のセットアッププロセスの間にユーザにより選択された周波数をモニタする（即ち、項目Ｂ）。例示としての実施形態に従って、チューナ２２は選択された周波数をモニタする一方、テレビジョン信号受信器２０はオフ／スタンバイモードにあり、これにより、入力緊急警戒信号を受信する。
【００３０】
段階３０４において、テレビジョン信号受信器２０の緊急警戒機能がアクティブであるかどかに関して判定がなされる。例示としての実施形態に従って、段階３０１のセットアッププロセスからメモリ２７に記憶されたデータと入力緊急警戒信号に含まれるデータを比較することによりこの判定を行う。上記のように、緊急警戒信号は、緊急イベントにより影響を受ける特定の地理的地域と、緊急イベントのタイプ（例えば、竜巻、有害化学物質流出、放射線リーク、市民警戒事態等）とを含む情報を表すＳＡＭＥデータを含むことが可能である。例示としての実施形態に従って、処理器２７は、このＳＡＭＥデータを、メモリ２７に記憶された段階３０１（即ち、項目Ｃ及びＤ）のセットアッププロセルからの対応するデータと比較し、これにより、緊急警戒機能が達成されたかどうかを判定する。このように、テレビジョン信号受信器２０の緊急警戒機能は、緊急警戒信号により表される緊急警戒イベントが段階３０１においてユーザにより指定されたイベントタイプ及び地理的地域に対応するときにのみ、アクティブになる。
【００３１】
段階３０４における判定が否定的な場合、プロセスフローは、チューナ２２が選択周波数をモニタすることを継続する段階３０３に戻る。代替として、段階３０４における判定が肯定的である場合、プロセスフローは、テレビジョン信号受信器２０がオンモードに切り換える段階３０５に進む。例示としての実施形態に従って、処理器２７は、テレビジョン信号受信器２０がオフ／スタンバイモードからオンモードに切り換えられるようにする１つ又はそれ以上の制御信号を出力する。
【００３２】
段階３０６において、テレビジョン信号受信器２０は警戒出力を提供し、これにより緊急イベントについて個人個人に知らせる。例示としての実施形態に従って、処理器２７は、段階３０１のセットアッププロセスの間にユーザ選択に従って１つ又はそれ以上の警戒出力を可能にする（即ち、項目Ｅ）。例えば、警告トーン及び／又はＮＷＳ音声メッセージのような音響出力を、スピーカ２５により出力することが可能である。処理器２７は、段階３０１のセットアッププロセスの間にユーザによる音量レベル設定に従ったそのような音響出力の音量を制御するために音声増幅器２４に制御信号を出力することが可能である。又、ビジュアル出力を、緊急イベントについて個人個人に知らせるために表示装置２９により段階３０６において提供することが可能である。又、例えば、ＮＷＳテキストメッセージ（例えば、クローズドキャプションメッセージ）及び／又は特定チャネルからの映像出力のようなビジュアル出力を提供することが可能である。又、他のタイプの警戒出力を、本発明に従って、段階３０６において提供することが可能である。
【００３３】
段階３０７において、警戒出力が所定の期間の間に提供されたかどうかに関する判定がなれる。上記のように、ユーザは、段階３０１においてセットアッププロセスノ間にこの期間を指定することが可能である（即ち、項目Ｆ）。段階３０７における判定が
否定的である場合、プロセスフローは、テレビジョン信号受信器２０が警戒出力を提供することを継続する段階３０６に戻る。代替として、段階３０７における判定が肯定的である場合、プロセスフローは、テレビジョン信号受信器２０がオフ／スタンバイモードに戻るように切り替わる段階３０２に戻る。例示としての実施形態に従って、処理器２７は、テレビジョン信号受信器２７が段階３０２におけるオフ／スタンバイモードに戻るように切り換えられるようにする１つ又はそれ以上の制御信号を出力する。このように、テレビジョン信号受信器２０は、段階３０１においてセットアッププロセスの間にユーザにより指定された時間の所定の期間の間にのみ警戒出力を提供する。
【００３４】
テレビジョン信号受信器２０が段階３０１においてオフ／スタンバイモードに戻るように切り換わった後、段階３０３において選択周波数をモニタし、入力緊急警戒信号を受信することが継続する。しかしながら、例示としての実施形態に従って、緊急警戒機能は、所定時間の期間の間に同様の緊急イベント（即ち、反復イベント）に対して再びアクティブにされることはない。上記のように、ユーザは、段階３０１のセットアッププロセスの間の反復イベントに対してこの所定時間の期間を選択することが可能であり、種々の重大度レベルは種々のイベントを表すことが可能である。従って、処理器２７は、ユーザにより指定された所定時間の期間の間に反復緊急イベントに対する緊急警戒機能を無効にする。このように、テレビジョン信号受信器２０は、この所定時間の期間が経過した後まで、同様の緊急イベントに対して警戒出力を再び提供することはない。
【００３５】
図４を参照するに、本発明の他の特徴に従った例示としての段階を表すフロー図４００を示している。特に、図４は、テレビジョン信号受信器２０が２つのチューナ２２を用いて緊急警戒信号に対する周波数をモニタすることを可能にする。図４の段階及び原理は、図３の段階及び原理と結合されることが可能である。図４の各段階は単に例示であって、いずれの方式において本発明を制限することが意図されたものではない。
【００３６】
段階４０１において、テレビジョン信号受信器２０は、オフ／スタンバイモードに切り換えられる。テレビジョン信号受信器２０は、例えば、ユーザ入力に応答して段階４０１においてオフ／スタンバイモードに切り換えられることが可能である。
【００３７】
段階４０２において、テレビジョン信号受信器２０は、第１チューナを用いて緊急警戒信号に対する周波数をモニタする。上記のように、テレビジョン信号受信器２０はＰＩＰ機能を含むことが可能であり、第１チューナ２２が主ピクチャに対する主チューナとして動作し、第２チューナ２２がＰＩＰに対して二次チューナとして動作する。従って、段階４０２において、第１ユー名２２は、テレビジョン信号受信器が第１モードであって、例えば、オフ／スタンバイモードにある間に、ＮＷＳ周波数のような周波数をモニタする。この周波数は、例えば、図３の段階３０１において、上記したように、テレビジョン信号受信器２０の緊急警戒機能に対するセットアッププロセスの間にユーザにより選択されることが可能である。
【００３８】
段階４０３において、テレビジョン信号受信器２０は、第２モードであって、例えば、オンモードに切り換えられるときを検出する。例示としての実施形態に従って、第１チューナ２２は、緊急警戒信号に対する周波数をモニタすることを継続する一方、テレビジョン信号受信器２０は、図４における段階４０２及び４０３をループすることにより示されるように、オフ／スタンバイモードにある。しかしながら、テレビジョン信号受信器２０がオンモードに切り換えられるとき、プロセスフローは段階４０４に進み、テレビジョン信号受信器２０が第２チューナ２２を用いて緊急警戒信号に対する周波数をモニタし、第１チューナ２２が従来の方式で音声及び／又は映像信号をチューニングし、これにより音声及び／又は映像出力を提供する。段階４０１及び４０４において第１チューナ及び第２チューナ２２によりモニタされた周波数は異なる周波数又は同じ周波数であることが可能であり、例えば、ユーザにより指定されることが可能である。第２チューナ２２がＰＩＰ機能に対して用いられるとき、ＰＩＰ機能が用いられないときはいつでも、段階４０４において緊急警戒信号に対する周波数をモニタすることが可能である。このように、緊急警戒信号は、テレビジョン信号受信器２０が第１モード及び第２モードの両方であって、例えば、オンモード及びオフ／スタンバイモードにあるとき、受信されることが可能である。
【００３９】
上記のように、本発明は、緊急警戒信号を受信し、緊急イベントについて個人個人に知らせるために警戒出力を提供することができるテレビジョン信号受信器を提供する。本発明を、表示装置を伴う又は伴わない種々の装置に適用することが可能である。従って、ここで用いる表現“テレビジョン信号受信器”は、テレビジョン信号を受信し且つ処理することができる装置又はシステムであって、テレビジョンセット、表示装置を含むモニタ又はコンピュータ、並びに、セットトップボックスと、ビデオカセットレコーダ（ＶＣＲ）と、ＤＶＤ（Ｄｉｇｉｔａｌ  Ｖｅｒｓａｔｉｌｅ  Ｄｉｓｋ）プレーヤと、ビデオゲームボックスと、パーソナルビデオレコーダ（ＰＶＲ）と、表示装置を含まないコンピュータ又は他の装置とを含む装置又はシステム、をいう。
【００４０】
本発明について、好適なデザインを有するように説明したが、本発明は、本開示の範囲及び主旨から逸脱することなく更に改善されることができる。本出願は、それ故、本発明の一般原理を用いて、本発明のいずれの変形、使用又は適応を網羅することを意図するものである。更に、本出願は、同時提出の特許請求の範囲の範囲内にあり且つ本発明に関する技術分野における周知の又は伝統的な方法の範囲内にあるような本発明からの逸脱を網羅することを意図されるものである。
【図面の簡単な説明】
【００４１】
【図１】本発明を実行するために適切な例示としての実施形態を示す図である。
【図２】本発明を実行するために適切なテレビジョン信号処理システムのブロック図である。
【図３】本発明の特徴に従った例示としての段階を示すフロー図である。
【図４】本発明の他の特徴に従った例示としての段階を示すフロー図である。
【図１】
2006515122.tif 000003
【図２】
2006515122.tif 000004
【図３】
2006515122.tif 000005
【図４】
2006515122.tif 000006
【手続補正書】
【提出日】平成16年5月13日(2004.5.13)
【手続補正１】
【補正対象書類名】特許請求の範囲
【補正対象項目名】請求項１
【補正方法】変更
【補正の内容】
【請求項１】
テレビジョン信号処理装置が第１モードにある間に、緊急イベントを表す信号を含む周波数にチューニングするように動作する第１チューナ；
テレビジョン信号処理装置が第２モードにある間に、緊急イベントを表す信号を含む周波数にチューニングするように動作する第２チューナ；及び
緊急警戒機能を提供するために、テレビジョン信号処理装置が緊急イベントを表す信号に応じて第２モードに第１モードから切り換えられるように動作する処理器；
から構成されることを特徴とするテレビジョン信号処理装置。
【手続補正２】
【補正対象書類名】特許請求の範囲
【補正対象項目名】請求項１２
【補正方法】変更
【補正の内容】
【請求項１２】
請求項１１に記載のテレビジョン信号処理装置であって、処理器は、オンモードからオフ／スタンバイモードに切り換えられるテレビジョン信号処理装置に応じてユーザにより選択可能な第２の所定時間の期間の間の反復緊急イベントに対する緊急警戒機能を無効にする、ことを特徴とするテレビジョン信号処理装置。
【手続補正３】
【補正対象書類名】特許請求の範囲
【補正対象項目名】請求項１３
【補正方法】変更
【補正の内容】
【請求項１３】
緊急警戒機能を有するテレビジョン信号受信器であって：
テレビジョン信号処理器がオフ／スタンバイモードにある間に、緊急イベントを表す緊急警戒信号を含む周波数にチューニングするための第１チューニング手段；
テレビジョン信号処理器がオンモードにある間に、緊急イベントを表す緊急警戒信号を含む周波数にチューニングするための第２チューニング手段；及び
テレビジョン信号受信器が緊急警戒信号に応じてオンモードにオフ／スタンバイモードから切り換えられるようにするための処理手段；
から構成されることを特徴とするテレビジョン信号受信器。
【手続補正４】
【補正対象書類名】特許請求の範囲
【補正対象項目名】請求項３６
【補正方法】変更
【補正の内容】
【請求項３６】
緊急警戒機能を有するテレビジョン信号処理装置を制御するための方法であって：
テレビジョン信号処理装置がオフ／スタンバイモードにある間に、緊急イベントを表す信号を含む周波数にチューニングするためにテレビジョン信号処理装置の第１チューナを用いる段階；
テレビジョン信号処理装置がオンモードにある間に、緊急イベントを表す信号を含む周波数にチューニングするためにテレビジョン信号処理装置の第２チューナを用いる段階；
及び
緊急イベントを表す信号に応じてオンモードにオフ／スタンバイモードからテレビジョン信号処理装置を切り換える段階；
から構成される、ことを特徴とする方法。
【手続補正５】
【補正対象書類名】明細書
【補正対象項目名】００１０
【補正方法】変更
【補正の内容】
【００１０】
例示としての実施形態に従って、信号送信ソース１０は、例えば、緊急警戒信号等の緊急イベントを表す信号を含む信号を送信し、そのような信号は各々のテレビジョン信号受信器２０により受信されることが可能である。緊急警戒信号は、ＮＷＳのような専門家、又は政府関係団体等のような他の専門家から提供されることが可能である。緊急警戒信号に応答して、各々のテレビジョン信号受信器２０は、緊急イベントを個人個人に知らせるために１つ又はそれ以上の警戒出力を提供することにより緊急警戒機能を実行することが可能である。信号送信ソース１０は、例えば、いずれの有線又は無線媒体であって、例えば、地上波、ケーブル、衛星放送、光ファイバ、ＤＳＬ（Ｄｉｇｉｔａｌ  Ｓｕｂｓｃｒｉｂｅｒ  Ｌｉｎｅ）及び／又は他のタイプの放送及び／又はマルチキャスト手段により、テレビジョン信号受信器２０にそのような緊急警戒信号を送信することが可能であるが、それらに限定されるものではない。


【国際調査報告】
2006515122.tif 000007